(57)【要約】【課題】バッテリポストへのバッテリターミナルの固定作業が容易で、異なるポスト径にも対応可能な汎用性に優れたバッテリターミナルおよびワイヤハーネスを提供する。【解決手段】バッテリポスト３１を取り囲む環状台座部２１ａおよびそこから上方に突出する主分割筒部２１ｂを有する台座部材２１と、主分割筒部２１ｂの内方で環状台座部２１ａに支持されつつバッテリポスト３１を取り囲む端子部２２ａを有する接続端子２２と、主分割筒部２１ｂの内方で接続端子２２およびバッテリポスト３１に接触する弾性導体部材２３と、バッテリポスト３１の上端面３１ｔ側を覆うとともに台座部材２１の主分割筒部２１ｂに結合された有底筒状の押圧カバー部材２５と弾性導体部材２３を接続端子２２およびバッテリポスト３１に圧接させるよう弾性導体部材２３を押圧している押圧リング２４とを有するカバー部材（２４、２５）と、を備えている。【選択図】図１
2017152269.tif 000002
【特許請求の範囲】
【請求項１】
バッテリポストを取り囲む環状台座部および該環状台座部から上方に突出する略筒状の分割筒部を有する台座部材と、
前記分割筒部の内方で前記環状台座部に支持されつつ前記バッテリポストを取り囲む端子部を有する接続端子と、
前記分割筒部の内方で前記接続端子および前記バッテリポストに接触する弾性導体部材と、
前記バッテリポストの上端側を覆うとともに前記台座部材の前記分割筒部に結合された有底筒状の主カバー部と前記弾性導体部材を前記接続端子および前記バッテリポストに圧接させるよう前記弾性導体部材を押圧している押圧部とを有するカバー部材と、を備えたバッテリターミナル。
【請求項２】
前記台座部材の前記分割筒部が、前記略筒状の主要部をなす主分割筒部として構成されるとともに、前記接続端子が、前記主分割筒部の内方で前記環状台座部に支持されつつ前記バッテリポストを取り囲む端子部および該端子部に一体に結合するケーブル接続部を有しており、前記カバー部材は、前記主カバー部および前記押圧部を有する第１カバー部材と、前記台座部材の前記主分割筒部と共に筒状をなすよう前記主分割筒部に隣接して配置された副分割筒部と前記台座部材に支持された前記接続端子の前記ケーブル接続部を覆う端子カバー部とを一体に有し、前記台座部材および前記第１カバー部材の間に保持される第２カバー部材と、を含んで構成されていることを特徴とする請求項１に記載のバッテリターミナル。
【請求項３】
前記台座部材の前記環状台座部、前記接続端子の前記端子部および前記弾性導体部材が、それぞれ円環状をなすとともに、前記台座部材の前記主分割筒部が、前記第２カバー部材の前記副分割筒部と共に円筒状をなし、前記第１カバー部材が、前記台座部材の前記主分割筒部にねじ結合していることを特徴とする請求項２に記載のバッテリターミナル。
【請求項４】
前記第１カバー部材と前記弾性導体部材との間に介在する押圧リングを備え、
前記弾性導体部材が前記第１カバー部材に対して可動に保持される状態で、前記押圧リングが前記弾性導体部材および前記第１カバー部材の間に保持されていることを特徴とする請求項２または３に記載のバッテリターミナル。
【請求項５】
請求項１ないし請求項４のいずれか１項に記載のバッテリターミナルと、前記接続端子に接続された電源線と、を備えたワイヤハーネス。
【発明の詳細な説明】
【技術分野】
【０００１】
本発明は、バッテリターミナルおよびワイヤハーネスに関し、特に、バッテリターミナルとそれを備えた電源回路用のワイヤハーネスに関する。
【背景技術】
【０００２】
バッテリポスト、すなわち、バッテリの電極ポストに電源線を接続するためバッテリターミナルは、接続端子の金具をバッテリポストに締結し、そのバッテリポストと接続端子の結合部全体を保護カバーで覆うのが一般的であるが、締結のためのボルトが横向きになるため、その締結作業の作業性が悪かった。
【０００３】
そこで、従来、例えば特許文献１に記載のように、バッテリターミナルに当接する接続端子に、スリット付きの略円筒状をなすとともに雄ねじが形成された電極把持部を一体に設けるとともに、その電極把持部の雄ねじに雌ねじ付きのカップ状の嵌合部材を締結して、電極把持部をバッテリポストに堅締嵌合状態で結合させるものが知られている。
【０００４】
このバッテリターミナルでは、接続端子とバッテリポストの結合部全体を覆うカバー部材に、カップ状の嵌合部材の頂部に突設されたスタッドボルトを貫通させ、そのスタッドボルトにナットを結合させることで、カバー部材を固定するようになっている。
【先行技術文献】
【特許文献】
【０００５】
【特許文献１】特開平０９−３５７０２号公報
【発明の概要】
【発明が解決しようとする課題】
【０００６】
しかしながら、前述のような従来の保護カバー付きのバッテリターミナルにあっては、上方からバッテリポスト軸方向のねじ締め作業が可能であるものの、ねじ締め工程が２回必要となってしまうため、バッテリターミナルと保護カバーの双方をバッテリポストに組み付けるバッテリターミナルの固定作業の作業性を良くすることができなかった。
【０００７】
また、前述の従来のワイヤハーネスにあっては、バッテリターミナルをバッテリポストの高さ方向の任意の位置に簡単に仮位置決めするということができず、その点からも、バッテリターミナルの固定作業の作業性が悪くなっていた。
【０００８】
さらに、前述のような従来の保護カバー付きのバッテリターミナルにあっては、嵌合部材を接続端子の電極把持部にねじ結合させる構成であったため、スリット付きのテーパ状の電極把持部をバッテリポストの軸方向に嵌め着けることができるものの、ねじの締付け代程度の径変化しか生じさせることができず、異なる複数のバッテリポスト径に対応可能な程度の汎用性を持たせることができなかった。
【０００９】
本発明は、かかる未解決の課題を解決するものであり、バッテリポストへのバッテリターミナルの固定作業が容易で、しかも、異なる複数のバッテリポスト径に対応可能な汎用性に優れたバッテリターミナルおよびワイヤハーネスを提供することを目的とする。
【課題を解決するための手段】
【００１０】
本発明に係るバッテリターミナルは、上記目的達成のため、バッテリポストを取り囲む環状台座部および該環状台座部から上方に突出する略筒状の分割筒部を有する台座部材と、前記分割筒部の内方で前記環状台座部に支持されつつ前記バッテリポストを取り囲む端子部を有する接続端子と、前記分割筒部の内方で前記接続端子および前記バッテリポストに接触する弾性導体部材と、前記バッテリポストの上端側を覆うとともに前記台座部材の前記分割筒部に結合された有底筒状の主カバー部と前記弾性導体部材を前記接続端子および前記バッテリポストに圧接させるよう前記弾性導体部材を押圧している押圧部とを有するカバー部材と、を備えたものである。
【００１１】
この構成により、本発明では、台座部材の分割筒部に対してカバー部材を上方からのねじ締め等により結合可能となるのに加えて、外径が異なる複数種のバッテリポストのうちいずれに対しても、弾性導体部材を介してバッテリポストと接続端子を所定の接触圧および接触面積で接続可能となる。また、弾性導体部材のバッテリポストへの圧接姿勢から、バッテリターミナルの確実な抜け止め固定が可能になるとともに、仮止め、すなわち、仮位置決めも容易に可能となる。したがって、バッテリポストへのバッテリターミナルの固定作業が容易化され、しかも、異なる複数のバッテリポスト径に対応可能な汎用性に優れたバッテリターミナルとなる。
【００１２】
本発明に係るバッテリターミナルにおいては、前記台座部材の前記分割筒部が前記略筒状の主要部をなす主分割筒部として構成されるとともに、前記接続端子が、前記主分割筒部の内方で前記環状台座部に支持されつつ前記バッテリポストを取り囲む端子部および該端子部に一体に結合するケーブル接続部を有しており、前記カバー部材は、前記主カバー部および前記押圧部を有する第１カバー部材と、前記台座部材の前記主分割筒部と共に筒状をなすよう前記主分割筒部に隣接して配置された副分割筒部と前記台座部材に支持された前記接続端子の前記ケーブル接続部を覆う端子カバー部とを一体に有し、前記台座部材および前記第１カバー部材の間に保持される第２カバー部材と、を含んで構成されるものであってもよい。
【００１３】
このように構成すると、台座部材に支持されつつ接続端子のケーブル接続部を覆う第２カバー部材が、台座部材と第１カバー部材の結合により両者間に保持されるとともに、台座部材の主分割筒部と第２カバー部材の副分割筒部が筒状に突き合わされた状態に保持され、その突合せ部が第１カバー部材により覆われることになる。よって、バッテリポストと接続端子の結合部分の全体を覆う保護カバーを、１回のねじ締め作業によって固定できることになる。
【００１４】
本発明のバッテリターミナルにおいては、さらに、前記台座部材の前記環状台座部、前記接続端子の前記端子部および前記弾性導体部材が、それぞれ円環状をなすとともに、前記台座部材の前記主分割筒部が、前記第２カバー部材の前記副分割筒部と共に円筒状をなし、前記第１カバー部材が、前記台座部材の前記主分割筒部にねじ結合している構成とすることができる。
【００１５】
また、本発明のバッテリターミナルにおいては、前記第１カバー部材と前記弾性導体部材との間に介在する押圧リングを備え、前記弾性導体部材が前記第１カバー部材に対して可動に保持される状態で、前記押圧リングが前記弾性導体部材および前記第１カバー部材の間に保持されている構成とすることもできる。
【００１６】
本発明に係るワイヤハーネスは、上記のいずれかのバッテリターミナルと、前記接続端子に接続された電源線と、を備えた構成となっている。したがって、バッテリポストへのバッテリターミナルの固定作業が容易で、しかも、異なる複数のバッテリポスト径に対応可能な汎用性に優れたバッテリターミナル付きのワイヤハーネスとなる。
【発明の効果】
【００１７】
本発明によれば、バッテリポストへのバッテリターミナルの固定作業が容易で、しかも、異なる複数のバッテリポスト径に対応可能な汎用性に優れたバッテリターミナルおよびワイヤハーネスを提供することができる。
【図面の簡単な説明】
【００１８】
【図１】本発明の一実施の形態に係るバッテリターミナルの組付け開始時のサブアセンブル状態を示す斜視図である。
【図２】本発明の一実施の形態に係るバッテリターミナルの組付け開始時のサブアセンブル状態を示す正面断面図である。
【図３】本発明の一実施の形態に係るワイヤハーネスにおけるバッテリターミナルの分解斜視図である。
【図４】本発明の一実施の形態に係るバッテリターミナルの分解正面断面図である。
【図５】本発明の一実施の形態に係るバッテリターミナルにおける台座部材に接続端子を組み付けた状態を示す斜視図である。
【図６】本発明の一実施の形態に係るバッテリターミナルにおける台座部材に接続端子および第２保護カバーを組み付けた状態を示す斜視図である。
【図７】（ａ）は本発明の一実施の形態に係るバッテリターミナルにおける台座部材の要部平面図であり、（ｂ）は（ａ）中のＶ１矢視図である。
【図８】（ａ）は本発明の一実施の形態に係るバッテリターミナルにおける第２カバー部材の台座部材の要部平面図であり、（ｂ）は（ａ）中のＶ１矢視図である。
【発明を実施するための形態】
【００１９】
以下、本発明を実施するための形態について図面を参照しつつ説明する。
【００２０】
（一実施の形態）
図１ないし図８は、本発明に係る保護カバー機能を有するバッテリターミナルおよびそれを装着したワイヤハーネスの一実施の形態を示している。本実施の形態は、本発明を自動車用のバッテリに電源線を接続するための電源回路用のワイヤハーネスに適用するものであり、バッテリの電極ポスト、すなわち、バッテリポストに接続する接続端子の主要部を板端子として例示するものである。
【００２１】
まず、本実施の形態のバッテリターミナルおよびワイヤハーネスの構成を説明する。
【００２２】
図１ないし図４に示すように、本実施の形態のワイヤハーネス１０は、絶縁被覆された電源接続用の電線を主要部とするワイヤハーネス本体１１（一端部のみ図示する）と、そのワイヤハーネス本体１１の一端側に圧着接続された丸形の板端子を含むバッテリターミナル１２とによって構成されている。
【００２３】
ワイヤハーネス本体１１は、その一端側でバッテリターミナル１２を介してバッテリ３０の略円柱状のバッテリポスト３１に接続されており、他端側では、図外の電源回路や補機類（車両用電装品の一部）に接続されている。なお、バッテリ３０は、自動車に搭載される所定の規格の蓄電池である。
【００２４】
ワイヤハーネス本体１１を構成する電源接続用の電線（以下、電源線という）は、例えば複数本の軟銅もしくはアルミニウム合金等の素線からなる芯線部１１ａと、その芯線部１１ａを長さ方向のほぼ全域で絶縁被覆する被覆材１１ｂとを有する被覆電線である。
【００２５】
図２ないし図４に示すように、バッテリターミナル１２は、それぞれの内方にバッテリポスト３１を挿入することができる台座部材２１、接続端子２２、弾性導体部材２３、押圧リング２４（押圧部）および押圧カバー部材２５（主カバー部）によって構成されている。押圧リング２４および押圧カバー部材２５は、これら全体として第１カバー部材を構成しており、一体に構成されてもよい。
【００２６】
図５および図６に示すように、台座部材２１は、その長手方向の一端側で、バッテリポスト３１を取り囲む円環板状の環状台座部２１ａおよびその環状台座部２１ａから上方に突出する略筒状の主分割筒部２１ｂを有し、全体として有底の略円筒形状をなしている。この台座部材２１の環状台座部２１ａには、バッテリポスト３１を挿通可能な中心孔２１ｃが形成されており、台座部材２１の主分割筒部２１ｂには、接続端子２２の一部をその主分割筒部２１ｂの内外に貫通させる凹状の切欠き２１ｄと、押圧カバー部材２５に結合可能な結合部２１ｅが形成されている。
【００２７】
台座部材２１は、また、その長手方向の他端側に、環状台座部２１ａ（一端側の底壁部）と一体の板状をなすとともに、環状台座部２１ａと略同一の厚さでワイヤハーネス本体１１と接続端子２２の接続部の軸線方向に延びる板状台座部２１ｆを有している。
【００２８】
台座部材２１の結合部２１ｅは、押圧カバー部材２５の結合部２５ｃに対し径方向に凹凸係合するものであり、例えばねじ結合により締結する。台座部材２１は、その結合に足りる剛性を有するものであればよく、導電性が有っても無くてもよい。また、台座部材２１のうち最終的に外部に露出する範囲が樹脂膜等で覆われていてもよい。
【００２９】
接続端子２２は、丸形の板端子に代表される電源接続用端子であり、台座部材２１の主分割筒部２１ｂの内方に収納されつつ環状台座部２１ａに支持された端子部２２ａと、ワイヤハーネス本体１１の芯線部１１ａに圧着もしくは溶着されたケーブル接続部２２ｂと、これら端子部２２ａおよびケーブル接続部２２ｂを一体に結合する結合導体部２２ｃとによって構成されている。
【００３０】
接続端子２２の端子部２２ａは、例えばバッテリポスト３１を取り囲む円環板状をなしており、ケーブル接続部２２ｂおよび結合導体部２２ｃと共に一枚の導体板に対し打抜きや曲げ加工を施して形成されている。この接続端子２２は、ワイヤハーネス本体１１に被覆材１１ｂの外方から結合する樹脂バレル部を併有するものであってもよい。
【００３１】
弾性導体部材２３は、接続端子２２に近い導電率と、接続端子２２より高い弾性係数もしくはばね性とを有する導体金属、例えば銅系金属からなるリング状のもので、接続端子２２の端子部２２ａおよびバッテリポスト３１の双方に対して所定の接触圧および接触面積をもって圧接可能になっている。
【００３２】
この弾性導体部材２３は、バッテリポスト３１の周囲で接続端子２２の端子部２２ａに接触する環状導体部２３ａと、その環状導体部２３ａからバッテリポスト３１の外周面３１ａに向って、環状導体部２３ａの放射内方側かつ図２中の斜上方側に突出する複数の弾性導体片部２３ｂと、によって構成されている。
【００３３】
押圧リング２４は、図２中の下端側内周部分２４ａで弾性導体部材２３の複数の弾性導体片部２３ｂをバッテリポスト３１側に締め付けるように押圧可能で、かつ、図２中の上端面部分２４ｂでは押圧カバー部材２５に対して回転方向に滑り易い低摩擦係数を有している。すなわち、押圧リング２４は、押圧カバー部材２５からの図２中下向きの押圧力を弾性導体部材２３に伝達する一方、押圧カバー部材２５からの回転により弾性導体部材２３が連れ回りするのを制限する回転遮断機能を有している。
【００３４】
押圧リング２４の内周面は、バッテリポスト３１および弾性導体部材２３の軸線に対する複数の弾性導体片部２３ｂの傾斜角度より傾斜角度が小さいか円筒面となっているが、下端側内周部分２４ａのみが傾斜したり面取りがされたりしていてもよい。
【００３５】
押圧カバー部材２５は、工具などによって回転操作することができる非円形形状の外周部２５ａと、図２中で下向きに開いた内奥側で狭くなる段付き形状の凹部２５ｂと、台座部材２１の主分割筒部２１ｂに着脱可能に結合する結合部２５ｃと、凹部２５ｂの内奥を閉止するカバー部２５ｄとを有している。凹部２５ｂの内奥側は押圧リング２４の外径より小径になっており、少なくとも押圧リング２４を押圧可能である。図２中に示すように、凹部２５ｂの段付き部分に押圧リング２４の上端部を嵌め込んでセンタリング可能に保持してもよい。
【００３６】
押圧カバー部材２５の外周部２５ａは、例えば６角のボルトヘッドやナットの外周部と類似する形状をなしており、凹部２５ｂは、弾性導体部材２３および押圧リング２４を収納可能な容積を有している。また、押圧カバー部材２５の結合部２５ｃは、台座部材２１の主分割筒部２１ｂに対して径方向に凹凸係合することで台座部材２１の主分割筒部２１ｂに着脱可能に結合する形状をなしており、例えば台座部材２１の主分割筒部２１ｂにねじ結合するようになっている。
【００３７】
押圧カバー部材２５は、台座部材２１の主分割筒部２１ｂに結合されたとき、押圧リング２４を介して弾性導体部材２３の複数の弾性導体片部２３ｂをバッテリポスト３１の外周面３１ａに圧接させつつ、弾性導体部材２３の環状導体部２３ａを接続端子２２の端子部２２ａに圧接させるようになっている。
【００３８】
押圧リング２４および押圧カバー部材２５は、このように弾性導体部材２３をバッテリポスト３１および接続端子２２に圧接させるための押圧荷重や応力に十分耐え得る剛性を有するものであればよく、導電性が有っても無くてもよい。
【００３９】
ここでは、台座部材２１の環状台座部２１ａ、接続端子２２の端子部２２ａおよび弾性導体部材２３の環状導体部２３ａは、それぞれ円環状をなしているが、非円形の環状でもよい。
【００４０】
弾性導体部材２３は、例えば押圧リング２４を介して複数の弾性導体片部２３ｂに係合する押圧カバー部材２５の凹部２５ｂの内方に支持され、あるいは、環状導体部２３ａと圧カバー部材２５に介装された不図示の中間支持部（ねじ締結時に台座部材２１の主分割筒部２１ｂにより内側に撓められてもよい）によって軸方向変位可能に保持されている。そして、その状態で、押圧リング２４は、弾性導体部材２３および押圧カバー部材２５の間に軸方向に変位可能に保持されている。
【００４１】
本実施形態のバッテリターミナル１２には、さらに、台座部材２１に支持された接続端子２２の露出面の略全域を押圧カバー部材２５と共に覆う第２カバー部材として、端子カバー部材２６が設けられている。この端子カバー部材２６は、台座部材２１の主分割筒部２１ｂと共に円筒状をなすよう主分割筒部２１ｂに隣接して配置された副分割筒部２６ａと、台座部材２１に支持された接続端子２２のケーブル接続部２２ｂを覆う端子カバー部２６ｂとを一体に有している。
【００４２】
また、端子カバー部材２６の副分割筒部２６ａには、押圧カバー部材２５の結合部２５ｃに対して台座部材２１の結合部２１ｅと同様にあるいは結合部２１ｅよりも浅く径方向に凹凸係合、例えばねじ結合する補助結合部２６ｃが付設されている。そして、台座部材２１の結合部２１ｅおよび端子カバー部材２６の補助結合部２６ｃが押圧カバー部材２５の結合部２５ｃに結合するとき、台座部材２１の主分割筒部２１ｂおよび端子カバー部材２６の副分割筒部２６ａが円筒状に一体化されつつ、押圧カバー部材２５によって上方側から覆われるようになっている。
【００４３】
また、端子カバー部材２６の副分割筒部２６ａおよび端子カバー部２６ｂは一体に構成されているので、押圧カバー部材２５の結合部２５ｃと台座部材２１の結合部２１ｅおよび端子カバー部材２６の補助結合部２６ｃとが結合するとき、第２カバー部材である端子カバー部材２６は、台座部材２１と第１カバー部材である押圧カバー部材２５との間に位置決め保持されるようになっている。
【００４４】
台座部材２１と端子カバー部材２６の間には、ヒンジ機構２７および補助ロック機構２８が介装されている。
【００４５】
図５ないし図８に示すように、ヒンジ機構２７は、端子カバー部材２６を台座部材２１の板状台座部２１ｆに対し回動可能にかつ着脱可能に結合するとともに、端子カバー部材２６の副分割筒部２６ａを台座部材２１の主分割筒部２１ｂと共に円筒状をなす所定姿勢で主分割筒部２１ｂに突き当て可能に案内するようになっている。
【００４６】
ヒンジ機構２７の詳細構造は任意であるが、例えば台座部材２１の板状台座部２１ｆには、長手方向の基端側（環状台座部２１ａ側）が板幅方向の一方側および厚さ方向に拡幅された拡幅部分２１ｇと、その拡幅部分２１ｇから部分的に外部に露出するヒンジ軸部２１ｈとが付設されており、一方、端子カバー部材２６には、板状台座部２１ｆのヒンジ軸部２１ｈに係脱可能に嵌合する軸嵌合部２６ｄが付設されている。そして、これらヒンジ軸部２１ｈおよび軸嵌合部２６ｄによって、ヒンジ機構２７が構成されている。
【００４７】
補助ロック機構２８は、端子カバー部材２６の副分割筒部２６ａが台座部材２１の主分割筒部２１ｂに所定姿勢で突き当たるとき、台座部材２１の板状台座部２１ｆに対して端子カバー部材２６を所定姿勢に固定するロック機能を有するロック機構で、板状台座部２１ｆの板幅方向の他方側に複数の係止爪２８ａ、２８ｂを有している。一方の係止爪２８ａは端子カバー部材２６に、他方の係止爪２８ｂは台座部材２１の板状台座部２１ｆに、それぞれ一体に設けられている。これら複数の係止爪２８ａ、２８ｂは、あるいはスナップフィット結合する複数対の凹凸係合部であってもよい。
【００４８】
ヒンジ機構２７および補助ロック機構２８は、端子カバー部材２６の一端側の副分割筒部２６ａから離れた端子カバー部材２６の他端側に、それぞれ配置されている。
【００４９】
このように、本実施形態においては、台座部材２１の主分割筒部２１ｂが端子カバー部材２６の副分割筒部２６ａと共に円筒状をなすことで、その円筒の外周側に結合部２１ｅおよび補助結合部２６ｃから雄ねじ状の結合部（符号なし）が形成され、そこにバッテリポスト３１の上端面３１ｔ側を覆うカップ状の押圧カバー部材２５がねじ結合している。そして、その押圧カバー部材２５のねじ結合状態下で、端子カバー部材２６が、台座部材２１の主分割筒部２１ｂに突き当てられて台座部材２１に対し回転および下方への変位を規制され、台座部材２１に結合した押圧カバー部材２５によって台座部材２１に対し突き当て状態を解除する離隔方向および上方への変位を規制されている。
【００５０】
次に、作用について説明する。
【００５１】
上述のような本実施形態のバッテリターミナル１２を備えたワイヤハーネス１０の組立時には、予め電線に接続した接続端子２２を台座部材２１上に載置し、その接続端子２２のケーブル接続部２２ｂを覆うように、ヒンジ機構２７および補助ロック機構２８によって、端子カバー部材２６を台座部材２１の板状台座部２１ｆにヒンジ結合およびロックさせて、図１の下側に示すような下側の組付ユニットＵ１を組み立てておく。
【００５２】
また、押圧カバー部材２５の凹部２５ｂの内方に押圧リング２４を所定の向きで挿入した後、弾性導体部材２３を押圧リング２４もしくは前述の中間支持部を介して押圧カバー部材２５内に可動に収納し、押圧カバー部材２５内に弾性導体部材２３および押圧リング２４を軸方向に変位可能に保持させた上側の組付ユニットＵ２を組み立てておく。
【００５３】
そして、環状台座部２１ａの中心孔２１ｃにバッテリポスト３１を挿入するように、バッテリ３０上に下側の組付ユニットＵ１を載置した後、上側の組付ユニットＵ２をバッテリポスト３１の上方から押下し、バッテリポスト３１と弾性導体部材２３の複数の弾性導体片部２３ｂとを圧接状態に嵌合させる。
【００５４】
このとき、バッテリポスト３１に対しその軸方向の一方側に傾斜する弾性導体部材２３の複数の弾性導体片部２３ｂの圧接姿勢から、バッテリターミナル１２の抜け止め係合が可能になる。すなわち、バッテリポスト３１を通した下側の組付ユニットＵ１に対して上側の組付ユニットＵ２を押し付けるだけで、バッテリターミナル１２の固定が可能となる。また、押圧カバー部材２５とその内方の弾性導体部材２３および押圧リング２４とを、バッテリポスト３１の上端部近傍に位置させて、容易に取り外すことができる状態に仮止めすることも可能となる。
【００５５】
次いで、下側の組付ユニットＵ１に対して上側の組付ユニットＵ２をねじ締め方向に締付け操作すると、複数の弾性導体片部２３ｂの圧接力が高められ、バッテリポスト３１に対してバッテリターミナル１２が確実に抜け止め固定されることになる。
【００５６】
このような本実施形態のバッテリターミナル１２では、バッテリポスト３１の規格が異なり、その外径や外周面形状（例えば、円筒面やテーパ面、ねじ形成面等）が異なる複数種となる場合でも、弾性導体部材２３は、その外径や外周面形状、装着位置に応じて、複数の弾性導体片部２３ｂの装着時の内径を変化させることができる。
【００５７】
したがって、複数種のいずれのバッテリポスト３１に対しても、弾性導体部材２３を介して接続端子２２を強固に圧接状態でかつ所定の接触面積を確保しつつ接続することができる。その結果、バッテリポスト３１へのバッテリターミナル１２の固定作業が容易で、しかも、異なる複数のバッテリポスト径に対応可能な汎用性に優れたものとなる。
【００５８】
また、本実施形態では、台座部材２１に支持されつつ接続端子２２のケーブル接続部２２ｂを覆う端子カバー部材２６が、台座部材２１と押圧カバー部材２５の結合により両者間に保持されるとともに、台座部材２１の主分割筒部２１ｂと端子カバー部材２６の副分割筒部２６ａが筒状に突き合わされた状態に保持され、その突合せ部が押圧カバー部材２５により覆われる。したがって、押圧カバー部材２５および端子カバー部材２６によって構成され、バッテリポスト３１と接続端子２２の結合部分の全体を覆う保護カバーを、１回のねじ締め作業によってバッテリに固定できる。
【００５９】
さらに、本実施形態では、押圧カバー部材２５が台座部材２１の主分割筒部２１ｂにねじ結合しているので、端子カバー部材２６の副分割筒部２６ａを容易にかつ確実に保持できるとともに、バッテリターミナル１２の固定作業がさらに容易になる。
【００６０】
加えて、本実施形態では、保護カバー機能を有するバッテリターミナル１２を、取付け時に２点構成にでき、その取扱い性や組付け性をより向上させることができる。
【００６１】
本実施形態のワイヤハーネス１０は、上述のようなバッテリターミナル１２と、接続端子２２に接続された電源線であるワイヤハーネス本体１１とを備えるので、バッテリポスト３１へのバッテリターミナル１２の固定作業が容易で、しかも、異なる複数のバッテリポスト径に対応可能な汎用性に優れたバッテリターミナル付きワイヤハーネスとなる。
【００６２】
このように、本実施形態においては、バッテリポスト３１へのバッテリターミナル１２の固定作業が容易で、しかも、異なる複数のバッテリポスト径に対応可能な汎用性に優れたバッテリターミナル１２およびワイヤハーネス１０を提供することができる。
【００６３】
なお、上述の一実施の形態では、押圧カバー部材２５の結合部２５ｃが台座部材２１の主分割筒部２１ｂにねじ結合するものとしたが、押圧カバー部材２５の結合部２５ｃが押圧カバー部材２５の凹部２５ｂの中心に向かって突出する複数の突起状で構成され、台座部材２１の主分割筒部２１ｂにそれら突起部に対応する複数の鉤状の溝等が形成されてもよい。
【００６４】
また、弾性導体部材２３の環状導体部２３ａを押圧カバー部材２５の凹部２５ｂの内方で可動に保持する保持部材を別品として設け、押圧リング２４が弾性導体部材２３および押圧カバー部材２５の間に保持されるようにしてもよい。接続端子２２の端子部２２ａの形状に応じて台座部材２１の内周形状やその凹部深さを設定したり、押圧リング２４を押圧カバー部材２５と一体化したりすることができ、後者の場合に、さらに、弾性導体部材２３の環状導体部２３ａに対する回転方向の滑りを確保する手段を付加してもよいことは勿論である。
【００６５】
さらに、台座部材２１の主分割筒部２１ｂおよび端子カバー部材２６の副分割筒部２６ａが円筒状に一体化されるときの突き当て面のいずれか一方側にシール材を装着したり、これら双方の表層部の素材によってはシール材に代えて双方間の局部圧接部を設けたりしてもよい。押圧カバー部材２５および端子カバー部材２６が、比較的高剛性の基材層部と保護カバー機能に最適な外面側の保護材層部とで構成され得ることは勿論である。
【００６６】
以上説明したように、本発明は、バッテリポストへのバッテリターミナルの固定作業が容易で、しかも、異なる複数のバッテリポスト径に対応可能な汎用性に優れたバッテリターミナルおよびワイヤハーネスを提供できるものであり、バッテリターミナルとそれを備えた電源回路用のワイヤハーネス全般に有用である。
【符号の説明】
【００６７】
１０  ワイヤハーネス
１１  ワイヤハーネス本体（電源線）
１２  バッテリターミナル
２１  台座部材
２１ａ  環状台座部
２１ｂ  主分割筒部（分割筒部）
２１ｆ  板状台座部
２２  接続端子
２２ａ  端子部
２２ｂ  ケーブル接続部
２３  弾性導体部材
２３ａ  環状導体部
２３ｂ  弾性導体片部
２４  押圧リング（押圧部）
２５  押圧カバー部材（主カバー部、第１カバー部材）
２５ｂ  凹部      
２５ｃ  結合部（ねじ結合部）
２６  端子カバー部材（第２カバー部材）
２６ａ  副分割筒部
２６ｂ  端子カバー部
２７  ヒンジ機構
２８  補助ロック機構
３１  バッテリポスト
３１ａ  外周面
３１ｔ  上端面
Ｕ１  下側の組付ユニット
Ｕ２  上側の組付ユニット
【図１】
2017152269.tif 000003
【図２】
2017152269.tif 000004
【図３】
2017152269.tif 000005
【図４】
2017152269.tif 000006
【図５】
2017152269.tif 000007
【図６】
2017152269.tif 000008
【図７】
2017152269.tif 000009
【図８】
2017152269.tif 000010